(57)【特許請求の範囲】
【請求項１】
表面部と、該表面部に対面する裏面部、および前記両方の面部の端縁同士をつなぐ端面部を備えた透明又は半透明状の平板状部材で形成され、前記表面部のほぼ全面から光を放出可能としたレンズ部を備えると共に、該レンズ部の裏面部に対向してバルブ配置し、該バルブから照射される光を、前記レンズ部の端面部に入射させる反射部を設け、
前記反射部は、前記レンズ部の端面部近傍に配置され、該端面部に前記バルブからの光を反射させて入射させるレンズ側リフレクタ部と、前記バルブをはさんでレンズ部の裏面部と反対側に配置され、前記レンズ側リフレクタ部方向へバルブからの光を反射させるバルブ側リフレクタ部と、から構成され、
前記バルブ側リフレクタ部の反射面の形状は、該バルブ側リフレクタ部で反射した光が前記レンズ側リフレクタ部の手前で焦点を結ぶ湾曲形状に設定すると共に、
前記レンズ側リフレクタ部の反射面の形状は、該レンズ側リフレクタ部で反射した光が平行になる湾曲形状に設定したことを特徴とする面発光ランプ装置。
【請求項２】
前記バルブと前記レンズ部の裏面部との間で少なくともバルブが対向する部分には、バルブからレンズ部の裏面部に照射される光を遮るカバー部が配置されていることを特徴とする請求項１に記載の面発光ランプ装置。
【請求項３】
前記バルブ側リフレクタ部の反射面の焦点は、前記レンズ部の端面部の角部近傍に設定したことを特徴とする請求項１または２に記載の面発光ランプ装置。
【請求項４】
前記レンズ側リフレクタ部の反射面は、該反射面からの平行光が前記レンズ部の裏面部側の内面で全反射する角度になるように設定したことを特徴とする請求項１〜３のうちいずれか一つに記載の面発光ランプ装置。
【請求項５】
前記バルブ側リフレクタ部と前記レンズ側リフレクタ部との間に光の反射を抑えた反射抑制部を設けたことを特徴とする請求項１〜４のうちいずれか一つに記載の面発光ランプ装置。
【請求項６】
前記反射抑制部は、前記バルブ側リフレクタ部とレンズ側リフレクタ部との間の反射面がとぎれた分離部で形成したことを特徴とする請求項５に記載の面発光ランプ装置。
【請求項７】
面発光ランプ装置は、少なくとも前記バルブが取り付けられるベースハウジングと、少なくとも前記レンズ部が取り付けられるレンズハウジングとを有し、これら両ハウジングを嵌合することによって組み立てられることを特徴とする請求項１〜６のうちいずれか一つに記載の面発光ランプ装置。
【請求項８】
前記バルブ側リフレクタ部と前記レンズ側リフレクタ部とは、別体に形成され、該バルブ側リフレクタ部をベースハウジング側に固定すると共に、該レンズ側リフレクタ部をレンズハウジング側に固定したことを特徴とする請求項７に記載の面発光ランプ装置。
【請求項９】
前記カバー部は、前記レンズ部の裏面部側に密着してほぼ全面を覆うように該レンズ部と共にレンズハウジングに固定されると共に、レンズ部の裏面部側に対向する該カバー部の表面部は、光反射性を有するようにしてあることを特徴とする請求項８に記載の面発光ランプ装置。
【請求項１０】
前記カバー部の表面部部は、白色により光反射性を有するようにしてあることを特徴とする請求項９に記載の面発光ランプ装置。
【請求項１１】
前記カバー部を、前記バルブからの熱を遮る遮熱板としたことを特徴とする請求項２、９、または１０に記載の面発光ランプ装置。
【請求項１２】
前記レンズ部の裏面部には、凹凸が形成されており、該凹凸の形成された部分に対向する表面部から光が放出することを特徴とする請求項１〜１１のうちいずれか一つに記載の面発光ランプ装置。
【請求項１３】
前記レンズ部の裏面部の凹凸は、該レンズ部に光が入射する端面部より離れるに従い、その凹凸の高さあるいはピッチが小さくなるように設定したこと特徴とする請求項１２に記載の面発光ランプ装置。
【請求項１４】
前記レンズ部は、平板状の２重レンズにより構成され、これらレンズ部のそれぞれの裏面部には設定範囲の異なる凹凸が形成してあることを特徴とする請求項１２，１３の何れかに記載の面発光ランプ装置。
【請求項１５】
前記レンズ部の表面部側に、該レンズ部からの放出する光を均一にそろえるアウタレンズ部を設けたことを特徴とする請求項１〜１４のうちいずれか一つに記載の面発光ランプ装置。
【請求項１６】
前記レンズ部の表面部側に近接して、光拡散部を設けたことを特徴とする請求項１〜１５のうちいずれか一つに記載の面発光ランプ装置。
【請求項１７】
前記光拡散部は、光拡散特性の異なる複数のフィルムを重ねて構成したことを特徴とする請求項１６に記載の面発光ランプ装置。
【発明の詳細な説明】
【０００１】
【発明の属する技術分野】
本発明は、面発光ランプ装置、特に自動車の車室内を照明するルームランプ装置に関する。
【０００２】
【従来の技術】
従来の面発光ランプ装置として、例えば車両用ルームランプなどで、面発光させようとするものは、特開平５−１７００２９号公報に示すものが知られている。
【０００３】
【発明が解決しようとする課題】
前記従来の構造によれば、公報第３図に示されるようにＥの範囲には、バルブが配置されるため、レンズ範囲として使えず、発光範囲が減少してしまうことは否めない。
【０００４】
また、バルブ配置部分を小さくしてレンズ範囲を広げるために、バルブそのものに小さいものを採用することも考えられるが、そのようなバルブは汎用性が低く、コストも高くなる傾向にある。
【０００５】
一方、エッジライト方式の面発光ランプ装置としては、例えば特開平８−１２２５３３号公報に示すものが知られているが、これも前述の従来技術と同様、レンズ部（導光体）の端面に、光源（蛍光ランプ）を配置しているので、発光範囲が減少してしまう。
【０００６】
そこで本発明は、コストの上昇及び発光範囲の減少をできるだけ少なくできる面発光ランプ装置を提供するものである。
【０００７】
【課題を解決するための手段】
請求項１にあっては、表面部と、該表面部に対面する裏面部、および前記両方の面部の端縁同士をつなぐ端面部を備えた透明又は半透明状の平板状部材で形成され、前記表面部のほぼ全面から光を放出可能としたレンズ部を備えると共に、該レンズ部の裏面部に対向してバルブ配置し、該バルブから照射される光を、前記レンズ部の端面部に入射させる反射部を設け、前記反射部は、前記レンズ部の端面部近傍に配置され、該端面部に前記バルブからの光を反射させて入射させるレンズ側リフレクタ部と、前記バルブをはさんでレンズ部の裏面部と反対側に配置され、前記レンズ側リフレクタ部方向へバルブからの光を反射させるバルブ側リフレクタ部と、から構成され、前記バルブ側リフレクタ部の反射面の形状は、該バルブ側リフレクタ部で反射した光が前記レンズ側リフレクタ部の手前で焦点を結ぶ湾曲形状に設定すると共に、前記レンズ側リフレクタ部の反射面の形状は、該レンズ側リフレクタ部で反射した光が平行になる湾曲形状に設定したことを特徴としている。
【０００８】
請求項２にあっては、請求項１に記載の前記バルブと前記レンズ部の裏面部との間で少なくともバルブが対向する部分には、バルブからレンズ部の裏面部に照射される光を遮るカバー部が配置されていることを特徴としている。
【００１１】
請求項３にあっては、請求項１または２に記載の前記バルブ側リフレクタ部の反射面の焦点は、前記レンズ部の端面部の角部近傍に設定したことを特徴としている。
【００１２】
請求項４にあっては、請求項１〜３のうちいずれか一つに記載の前記レンズ側リフレクタ部の反射面は、該反射面からの平行光が前記レンズ部の裏面部側の内面で全反射する角度になるように設定したことを特徴としている。
【００１３】
請求項５にあっては、請求項１〜４のうちいずれか一つに記載の前記バルブ側リフレクタ部と前記レンズ側リフレクタ部との間に光の反射を抑えた反射抑制部を設けたことを特徴としている。
【００１４】
請求項６にあっては、請求項５に記載の前記反射抑制部は、前記バルブ側リフレクタ部とレンズ側リフレクタ部との間の反射面がとぎれた分離部で形成したことを特徴としている。
【００１５】
請求項７にあっては、請求項１〜６のうちいずれか一つに記載の面発光ランプ装置は、少なくとも前記バルブが取り付けられるベースハウジングと、少なくとも前記レンズ部が取り付けられるレンズハウジングとを有し、これら両ハウジングを嵌合することによって組み立てられることを特徴としている。
【００１６】
請求項８にあっては、請求項７に記載の前記バルブ側リフレクタ部と前記レンズ側リフレクタ部とは、別体に形成され、該バルブ側リフレクタ部をベースハウジング側に固定すると共に、該レンズ側リフレクタ部をレンズハウジング側に固定したことを特徴としている。
【００１７】
請求項９にあっては、請求項８に記載の前記カバー部は、前記レンズ部の裏面部側に密着してほぼ全面を覆うように該レンズ部と共にレンズハウジングに固定されると共に、レンズ部の裏面部側に対向する該カバー部の表面側は、光反射性を有するようにしてあることを特徴としている。
【００１８】
請求項１０にあっては、請求項９に記載の前記カバー部の表面側は、白色により光反射性を有するようにしてあることを特徴としている。
【００１９】
請求項１１にあっては、請求項２、９、または１０に記載の前記カバー部を、前記バルブからの熱を遮る遮熱板としたことを特徴としている。
【００２０】
請求項１２にあっては、請求項１〜１１のうちいずれか一つに記載の前記レンズ部の裏面部には、凹凸が形成されており、該凹凸の形成された部分に対向する表面部から光が放出することを特徴としている。
【００２１】
請求項１３にあっては、請求項１２に記載の前記レンズ部の裏面部の凹凸は、該レンズ部に光が入射する端面部より離れるに従い、その凹凸の高さあるいはピッチが小さくなるように設定したこと特徴としている。
【００２２】
請求項１４にあっては、請求項１２，１３に記載の前記レンズ部は、平板状の２重レンズにより構成され、これらレンズ部のそれぞれの裏面部には設定範囲の異なる凹凸が形成してあることを特徴としている。
【００２３】
請求項１５にあっては、請求項１〜１４のうちいずれか一つに記載の前記レンズ部の表面部側に、該レンズ部からの放出する光を均一にそろえるアウタレンズ部を設けたことを特徴としている。
【００２４】
請求項１６にあっては、請求項１〜１５のうちいずれか一つに記載の前記レンズ部の表面部側に近接して、光拡散部を設けたことを特徴としている。
【００２５】
請求項１７にあっては、請求項１６に記載の前記光拡散部は、光拡散特性の異なる複数のフィルムを重ねて構成したことを特徴としている。
【００２６】
【発明の効果】
請求項１によれば、透明又は半透明状の平板状部材で形成され、前記表面部のほぼ全面から光を放出可能としたレンズ部の裏面部に対向してバルブを配置し、該バルブから照射される光を、前記レンズ部の端面部に入射させる反射部を設けてあるため、通常のバルブを用いてあっても、前記バルブのバルブ配置部分がレンズ部の発光範囲に影響を与えるようなことがなく、レンズ部の発光範囲を拡大することができる。
また、前記反射部は、前記レンズ部の端面部近傍に配置され、該端面部に前記バルブからの光を反射させて入射させるレンズ側リフレクタ部と、前記バルブをはさんでレンズ部の裏面部と反対側に配置され、前記レンズ側リフレクタ部方向へバルブからの光を反射させるバルブ側リフレクタ部とから構成してあるため、レンズ部の裏面側に配置されたバルブの放射する光を有効に集めてレンズ部の端面部に強力な光として入射させることができる。
さらに、前記バルブ側リフレクタ部の反射面の形状は、該バルブ側リフレクタ部で反射した光が前記レンズ側リフレクタ部の手前で焦点を結ぶ湾曲形状に設定すると共に、前記レンズ側リフレクタ部の反射面の形状は、該レンズ側リフレクタ部で反射した光が平行になる湾曲形状に設定してあるため、レンズ部の面発光を一様にすることができる。
【００２７】
請求項２によれば、請求項１の効果に加えて、前記バルブと前記レンズ部の裏面部との間で少なくともバルブが対向する部分には、バルブからレンズ部の裏面部に照射される光を遮るカバー部が配置してあるため、レンズ部の裏面部から光が入射するようなことがなく、面発光を一様なものにすることができる。
【００３０】
請求項３によれば、請求項１または２の効果に加えて、前記バルブ側リフレクタ部の反射面の焦点は、前記レンズ部の端面部の角部近傍に設定してあるため、バルブ側リフレクタ部での反射光をレンズ部で遮られるのを回避することができる。
【００３１】
請求項４によれば、請求項１〜３の効果に加えて、前記レンズ側リフレクタ部の反射面は、該反射面からの平行光が前記レンズ部の裏面部側の内面で全反射する角度になるように設定してあるため、レンズ部の端面部の近傍から離れた部分までの広い範囲に亘って光を導いて、面発光を一様にすることができる。
【００３２】
請求項５によれば、請求項１〜４の効果に加えて、前記バルブ側リフレクタ部と前記レンズ側リフレクタ部との間に光の反射を抑えた反射抑制部を設けてあるため、不必要な反射光が、所望しない入射角でレンズ部の端面部に入って、光干渉を起こし、面発光部分に干渉縞が形成するのを防止することができる。
【００３３】
請求項６によれば、請求項５の効果に加えて、前記反射抑制部は、前記バルブ側リフレクタ部とレンズ側リフレクタ部との間の反射面がとぎれた分離部で形成してあるため、前記反射面に、反射抑制塗装や凹凸加工など、特別な工夫を施さずに反射抑制部を形成することができ、コスト的に有利に得ることができる。
【００３４】
請求項７によれば、請求項１〜６の効果に加えて、面発光ランプ装置は、少なくとも前記バルブが取り付けられるベースハウジングと、少なくとも前記レンズ部が取り付けられるレンズハウジングとを有し、これら両ハウジングを嵌合することによって組み立てるようにしてあるため、消耗品であるバルブを交換する際、このようにレンズ部の裏面部側にバルブを配置してあっても、レンズハウジングを外すことによって容易にバルブを交換することができる。
【００３５】
請求項８によれば、請求項７の効果に加えて、前記バルブ側リフレクタ部と前記レンズ側リフレクタ部とを、別体に形成してあるため、両リフレクタ部を小型化することができ、さらに、該バルブ側リフレクタ部をベースハウジング側に固定すると共に、該レンズ側リフレクタ部をレンズハウジング側に固定してあるため、バルブの交換作業時など、これらベースハウジングとレンズハウジングとを分離する際、反射部を一体に成形したもののように、該反射部である両リフレクタ部と他部品が干渉するようなことがなく、作業性を向上することが出来る。
【００３６】
請求項９によれば、請求項８の効果に加えて、前記カバー部は、前記レンズ部の裏面部側に密着してほぼ全面を覆うように該レンズ部と共にレンズハウジングに固定されると共に、レンズ部の裏面部側に対向する該カバー部の表面部は、光反射性を有するようにしてあるため、レンズ部の裏面部から光が直接レンズ部に入射するのを防止できることはもちろん、レンズ部の裏面部での反射率を向上することができる。
【００３７】
請求項１０によれば、請求項９の効果に加えて、前記カバー部の表面部は、白色により光反射性を有するようにしてあるため、反射率の向上に加えて、調光を行うことができる。
【００３８】
請求項１１によれば、請求項２，９，１０の効果に加えて、前記カバー部を、前記バルブからの熱を遮る遮熱板としてあるため、該カバー部によりレンズ部のバルブからの熱による熱変形などの影響を抑えることができる。
【００３９】
請求項１２によれば、請求項１〜１１の効果に加えて、前記レンズ部の裏面部には、凹凸が形成されており、該凹凸の形成された部分に対向する表面部から光が放出するようにしてあるため、簡単な形状でレンズ部の表面部から光を放出させることができる。
【００４０】
請求項１３によれば、請求項１２の効果に加えて、前記レンズ部の裏面部の凹凸は、該レンズ部に光が入射する端面部より離れるに従い、その凹凸の高さあるいはピッチが小さくなるように設定してあるため、レンズ部に光が入射する端面部より離れた箇所でも一様に面発光させることができる。
【００４１】
請求項１４によれば、請求項１２，１３の効果に加えて、前記レンズ部は、平板状の２重レンズにより構成され、これらレンズ部のそれぞれの裏面部には設定範囲の異なる凹凸が形成してあるため、レンズ部の裏面部での光反射の位置を２つのレンズで変化させることができるので、より広範囲でかつ、一様に発光させることができる。
【００４２】
請求項１５によれば、請求項１〜１４の効果に加えて、前記レンズ部の表面部側に、該レンズ部からの放出する光を均一にそろえるアウタレンズ部を設けてあるため、より一様に面発光させることができる。
【００４３】
請求項１６によれば、請求項１〜１５の効果に加えて、前記レンズ部の表面部側に近接して、光拡散部を設けてあるため、より一様に面発光させることができる。
【００４４】
請求項１７によれば、請求項１６の効果に加えて、前記光拡散部は、光拡散特性の異なる複数のフィルムを重ねて構成してあるため、光の拡散度の調整をより簡単に行うことができる。
【００４５】
【発明の実施の形態】
以下、本発明の実施形態を図面と共に詳述する。
【００４６】
図１〜３において、１は本発明の面発光ランプ装置を適用したルームランプを示し、表面部４ａと、該表面部４ａに対面する裏面部４ｂ、および前記両方の面部４ａ，４ｂの端縁同士をつなぐ端面部４ｃを備えた透明状の合成樹脂製の平板部材で形成されるレンズ部４を備えると共に、該レンズ部４の裏面部４ｂに対向してバルブ５を配置し、該バルブ５から照射される光を、反射部１５を介して前記レンズ部４の端面部４ｃに入射させ、前記レンズ部４を面発光するようにしている。
【００４７】
２は、前記バルブ５が取り付けられるベースハウジングで、該ベースハウジング２は取付孔１６部分で図外のビス等によりルーフ等の車体部分に取り付けられる。
【００４８】
３は、前記レンズ部４が取り付けられるレンズハウジングで、該レンズハウジング３を前記ベースハウジング２に嵌合させてルームランプ１を組み立てるようにしている。
【００４９】
具体的には、レンズハウジング３に設けたクリップ部分１３をベースハウジング２の係合孔１４に係合させて、ルームランプ１を組み立てている。
【００５０】
６は、前記レンズ部４の裏面部４ｂと、バルブ５の間でバルブ５が対向する部分に配置され、前記バルブ５からレンズ部４の裏面部４ｃに照射される光を遮るカバー部を示している。
【００５１】
特にこの実施形態では、該カバー部６は前記レンズ部４の裏面部４ｂ側に密着してほぼ全面を覆うように該レンズ部４と共に、前記レンズハウジング３に固定され、前記バルブ５からの熱を遮る遮熱板としての役割を兼用している。
【００５２】
また、レンズ部４の裏面部４ｂ側に対向する該カバー部６の表面部６ａ側に、白色シート１０を設けて、光反射性を有するようにしてある。
【００５３】
前記反射部１５は、レンズ部４の端面部４ｃ近傍に配置され、該端面部４ｃに前記バルブ５からの光を反射させて入射させるレンズ側リフレクタ部７と、前記バルブ５をはさんでレンズ部４の裏面部４ｂと反対側に配置され、前記レンズ側リフレクタ部７方向へバルブ５からの光を反射させるバルブ側リフレクタ部８とから成っている。
【００５４】
特にこの実施形態では、これらレンズ側リフレクタ部７とバルブ側リフレクタ部８とを、別体に形成してレンズ側リフレクタ部７を前述のレンズハウジング３側に固定すると共に、バルブ側リフレクタ部８を前述のベースハウジング２に固定してある。
【００５５】
このバルブ側リフレクタ部８の反射面の形状は、図３に示すように、該バルブ側リフレクタ部８で反射した光が、前記レンズ側リフレクタ部７の手前で焦点Ｆを結ぶような湾曲形状に設定してあり、特にこの焦点Ｆが前記レンズ部４の端面部４ｃのバルブ５側の角部近傍に来るように設定してある。
【００５６】
一方、前記レンズ側リフレクタ部７の反射面の形状は、該レンズ側リフレクタ部７で反射した光が、平行になるような湾曲形状に設定して、しかも、この反射した平行光が前記レンズ部４に入射した際、裏面部４ｂ側の内面で全反射する角度になるように設定してある。
【００５７】
また、これらレンズ側リフレクタ部７とバルブ側リフレクタ部８との間に反射面のとぎれた分離部分を設定して、所望する角度以外の余分な光の反射を抑えた反射抑制部９を設けてある。
【００５８】
前述のレンズ部４の裏面部４ｂには、凹凸が形成されており、該凹凸の形成された部分に対向する表面部４ａから光が放出するようにしてある。
【００５９】
しかも、このレンズ部４の裏面部４ｂに形成された凹凸は、該レンズ部４に光が入射する端面部４ｃより離れるに従って、その凹凸の高さあるいはピッチが小さくなるように設定してある。
【００６０】
特にこの実施形態では、レンズ部４は平板状の２重レンズ４Ａ，４Ｂにより構成してあり、しかもこれらレンズ４Ａ，４Ｂのそれぞれの裏面部４ｂには設定範囲の異なる凹凸が形成してある。
【００６１】
具体的には、上側のレンズ４Ａの裏面部４ｂの凹凸は、端面部４ｃ側がほぼ平面状で端面部４ｃからある程度離れた中間位置から、上述したように徐々に凹凸の高さあるいはピッチが小さくなるように設定されている。
【００６２】
１１は、前記レンズハウジング３に固定され、前記レンズ部４の表面部４ａから放出する光を均一にそろえるアウタレンズを示している。
【００６３】
１２は、前記レンズ部４とアウタレンズ１１との間で、該レンズ部４の表面部４ａ側に近接して設けた光拡散部で、この実施形態では光拡散性の異なる２枚のフィルム１２Ａ，１２Ｂで構成してあり、これらフィルム１２Ａ，１２Ｂはレンズハウジング３に取り付けてある。
【００６４】
以上の実施形態の構造によれば、レンズ部４の裏面部４ｂに対向してバルブ５を配置し、該バルブ５から照射される光を、前記レンズ部４の端面部４ｃに入射させる反射部１５を設けてあるため、通常のバルブを用いてあっても、前記バルブ５のバルブ配置部分がレンズ部４の発光範囲に影響を与えるようなことがなく、レンズ部４の発光範囲を拡大することができる。
【００６５】
また、この面発光ランプ装置であるルームランプ１は、前記バルブ５が取り付けられるベースハウジング２と、レンズ部４が取り付けられるレンズハウジング３とで構成され、これら両ハウジング２，３を嵌合することによって組み立てるようにしてあるため、消耗品であるバルブ５を交換する際、このようにレンズ部４の裏面部４ｂ側にバルブ５を配置してあっても、レンズハウジング３を外すことによって容易にバルブ５を交換することができる。
【００６６】
前記バルブ５と前記レンズ部４の裏面部４ｂとの間のバルブ５が対向する部分に、バルブ５からレンズ部４の裏面部４ｂに照射される光を遮るカバー部６を配置してあるため、レンズ部４の裏面部４ｂから光が入射するようなことがなく、面発光を一様なものにすることができる。
【００６７】
また、前記反射部１５は、前記レンズ部４の端面部４ｃ近傍に配置されるレンズ側リフレクタ部７と、前記バルブ５をはさんでレンズ部４の裏面部４ｂと反対側に配置されるバルブ側リフレクタ部８とで構成してあるため、レンズ部４の裏面部４ｂ側に配置されたバルブ５の放射する光を有効に集めてレンズ部４の端面部４ｃに強力な光として入射させることができる。
【００６８】
しかも、前記バルブ側リフレクタ部８の反射面の形状は、該バルブ側リフレクタ部８で反射した光が前記レンズ側リフレクタ部７の手前で焦点Ｆを結ぶ湾曲形状に設定すると共に、前記レンズ側リフレクタ部７の反射面の形状は、該レンズ側リフレクタ部７で反射した光が平行になる湾曲形状に設定してあるため、レンズ部４の面発光を一様にすることができる。
【００６９】
加えて、前記バルブ側リフレクタ部８の反射面の焦点Ｆは、前記レンズ部４の端面部４ｃのバルブ５側の角部近傍に設定してあるため、バルブ側リフレクタ部８での反射光をレンズ部４で遮られるのを回避することができる。
【００７０】
一方、レンズ側リフレクタ部７の反射面は、該反射面からの平行光が前記レンズ部４の裏面部４ｂ側の内面で全反射する角度になるように設定してあるため、レンズ部４の端面部４ｃの近傍から離れた部分までの広い範囲に亘って光を導いて、面発光を一様にすることができる。
【００７１】
これらバルブ側リフレクタ部８と前記レンズ側リフレクタ部７との間には、光の反射を抑えた反射抑制部９を設けてあるため、不必要な反射光が、所望しない入射角でレンズ部４の端面部４ｃに入って、光干渉を起こし、面発光部分に干渉縞が形成するのを防止することができると共に、この反射抑制部９は、前記バルブ側リフレクタ部８とレンズ側リフレクタ部７との間の反射面がとぎれた分離部で形成してあるため、前記反射面に、反射抑制塗装や凹凸加工など、特別な工夫を施さずに反射抑制部９を形成することができ、コスト的に有利に得ることができる。
【００７２】
しかもこの実施形態では、これらバルブ側リフレクタ部８とレンズ側リフレクタ部７とを別体に形成してあるため、両リフレクタ部７，８を小型化することができ、さらに、該バルブ側リフレクタ部８をベースハウジング２側に固定すると共に、該レンズ側リフレクタ部７をレンズハウジング３側に固定してあるため、バルブ５の交換作業時など、これらベースハウジング２とレンズハウジング３とを分離する際、反射部１５を一体に成形したもののように、反射部１５としての該リフレクタ部と他部品が干渉するようなことがなく、作業性を向上することが出来る。
【００７３】
前記カバー部６は、前記レンズ部４の裏面部４ｂ側に密着してほぼ全面を覆うように該レンズ部４と共にレンズハウジング３に固定されると共に、レンズ部４の裏面部４ｂ側に対向する該カバー部６の表面部６ａは、光反射性を有するようにしてあるため、レンズ部４の裏面部４ｂから光が直接レンズ部４に入射するのを防止できることはもちろん、該裏面部４ｂでの反射率を向上することができる。
【００７４】
特に、このカバー部６の表面部６ａ側に、光反射性を有する白色シート１０を設けてあるため、反射率の向上に加えて、調光を行うことができる。
【００７５】
また、このカバー部６を、前記バルブ５からの熱を遮る遮熱板としているため、該カバー部６によりレンズ部４のバルブ５からの熱による熱変形などの影響を抑えることができる。
【００７６】
前記レンズ部４の裏面部４ｂには、凹凸が形成されており、該凹凸の形成された部分に対向する表面部４ａから光が放出するようにしてあるため、簡単な形状でレンズ部４の表面部４ａから光を放出させることができると共に、前記レンズ部４の裏面部４ｂの凹凸は、該レンズ部４に光が入射する端面部４ｃより離れるに従い、その凹凸の高さあるいはピッチが小さくなるように設定してあるため、レンズ部４に光が入射する端面部４ｃより離れた箇所でも一様に面発光させることができる。
【００７７】
しかも、この実施形態では前記レンズ部４を、平板状の２重レンズ４Ａ，４Ｂにより構成し、これらレンズ部４Ａ，４Ｂのそれぞれの裏面部４ｂには設定範囲の異なる凹凸が形成してあるため、レンズ部４の裏面部４ｂでの光反射の位置を２つのレンズ４Ａ，４Ｂで変化させることができるので、より広範囲でかつ、一様に発光させることができる。
【００７８】
具体的には、上側のレンズ４Ａの光反射の位置の多くを端面部４ｃから離れたほぼ中間位置からさらに離れた位置とすることで、下側のレンズ４Ｂでは光が届きにくい該端面部４ｃから離れた部位での光反射量を補うことができる。
【００７９】
レンズ部４の表面部４ａ側には、該レンズ部４からの放出する光を均一にそろえるアウタレンズ部１１を設けてあるため、より一様に面発光させることができると共に、該アウタレンズ１１とレンズ部４の間で、該レンズ部４の表面部４ａに近接して、光拡散部１２を設けているため、より一様に面発光させることができる。
【００８０】
しかも、この光拡散部１２は、光拡散特性の異なる２枚のフィルム１２Ａ，１２Ｂを重ねて構成しているため、光の拡散度の調整をより簡単に、そして適切に行うことができる。
【００８１】
なお、本実施形態ではレンズ部４に２重レンズ４Ａ，４Ｂを用いたものを示したが、図４に示すように、レンズ部４を一枚レンズで構成しても良い。
【図面の簡単な説明】
【図１】本発明の一実施形態を示す斜視図。
【図２】図２のＡ−Ａ線における端面図。
【図３】同実施形態の要部を示す端面図。
【図４】本発明の異なる実施形態を示す端面図。
【符号の説明】
１  ルームランプ（面発光ランプ装置）
２  ベースハウジング
３  レンズハウジング
４  レンズ部
４ａ  表面部
４ｂ  裏面部
４ｃ  端面部
４Ａ，４Ｂ  レンズ
５  バルブ
６  カバー部
６ａ  表面部
７  レンズ側リフレクタ部
８  バルブ側リフレクタ部
９  反射抑制部
１１  アウタレンズ
１２  光拡散部
１２Ａ，１２Ｂ  フィルム
１５  反射部
【図１】
0003853980.tif 000002
【図２】
0003853980.tif 000003
【図３】
0003853980.tif 000004
【図４】
0003853980.tif 000005